(57)【要約】【課題】番組に対する幅広いコメントをリアルタイムに公開し、かつ多くの視聴者の意見を集約することが可能なコメント処理システムを提供すること。【解決手段】サーバ２は、コメント可能番組リストを携帯電話１に送信し、指定された番組についてのコメントリストを送出する。更に、コメント入力用画面を送信し、コメントを受信してコメントリストに登録する。サーバ２は更に、番組毎にコメント可能条件が設定されている番組テーブルと、コメンテータ端末が登録されたコメンテータテーブルとを備え、端末が番組にコメント書き込み可能か否かをチェックする。また、番組に対して感情記号による投票を受け付ける。番組に対してリアルタイムにコメントや投票を受け付け、コメント、集計結果を公開することができる。また、番組毎にコメント権限を管理することによってコメントの量や質を管理することができる。【選択図】図１
2005332198.tif 000002
【特許請求の範囲】
【請求項１】
通信網を介して端末と通信可能なサーバ装置において、
前記端末によるコメントの閲覧が可能な番組リストを送信する番組リスト送信手段と、
前記端末から指定された番組についてのコメントリストを送出するコメントリスト送出手段と、
前記端末にコメント入力用画面データを送信し、前記端末から送信されたコメントデータを受信するコメント取得手段と、
前記受信したコメントをコメントリストに登録するコメント登録手段と、
を備えたことを特徴とするサーバ装置。
【請求項２】
更に、番組毎にコメント可能な条件が設定されている番組テーブル手段と、
複数のコメンテータの端末が登録されたコメンテータテーブル手段と、
前記番組テーブル手段および前記コメンテータテーブル手段を参照して、アクセスしてきた前記端末が指定した番組にコメントを書き込むことができるか否かをチェックするコメント権限チェック手段と
を備えたことを特徴とする請求項１に記載のサーバ装置。
【請求項３】
更に、番組に対して所定の感情と対応した感情記号による投票を受け付ける感情記号投票受付手段を備えたことを特徴とする請求項１に記載のサーバ装置。
【請求項４】
通信網を介して端末と通信可能なサーバ装置のコンピュータを、
前記端末によるコメントの閲覧が可能な番組リストを送信する番組リスト送信手段、
前記端末から指定された番組についてのコメントリストを送出するコメントリスト送出手段、
前記端末にコメント入力用画面データを送信し、前記端末から送信されたコメントデータを受信するコメント取得手段、
前記受信したコメントをコメントリストに登録するコメント登録手段、
として機能させることを特徴とするコメント処理プログラム。
【請求項５】
前記コメント処理プログラムは更に、前記サーバ装置のコンピュータを、
番組毎にコメント可能な条件が設定されている番組テーブル手段、
複数のコメンテータの端末が登録されたコメンテータテーブル手段、
前記番組テーブル手段および前記コメンテータテーブル手段を参照して、アクセスしてきた前記端末が指定した番組にコメントを書き込むことができるか否かをチェックするコメント権限チェック手段
として機能させるプログラムを備えたことを特徴とする請求項４に記載のコメント処理プログラム。
【請求項６】
前記コメント処理プログラムは更に、前記サーバ装置のコンピュータを、番組に対して所定の感情と対応した感情記号による投票を受け付ける感情記号投票受付手段として機能させるプログラムを備えたことを特徴とする請求項４に記載のコメント処理プログラム。
【請求項７】
情報処理機能とデータ通信機能を有し、Ｗｅｂを閲覧可能なブラウザ手段を備えた端末、および
前記端末によるコメントの閲覧が可能な番組リストを送信する番組リスト送信手段と、前記端末から指定された番組についてのコメントリストを送出するコメントリスト送出手段と、前記端末にコメント入力用画面データを送信し、前記端末から送信されたコメントデータを受信するコメント取得手段と、前記受信したコメントをコメントリストに登録するコメント登録手段とを備えた、通信網を介して前記端末と通信可能なサーバ装置
からなることを特徴とするコメント処理システム。
【請求項８】
前記サーバ装置は更に、
番組毎にコメント可能な条件が設定されている番組テーブル手段と、複数のコメンテータの端末が登録されたコメンテータテーブル手段と、
前記番組テーブル手段および前記コメンテータテーブル手段を参照して、アクセスしてきた前記端末が指定した番組にコメントを書き込むことができるか否かをチェックするコメント権限チェック手段と
を備えたことを特徴とする請求項７に記載のコメント処理システム。
【請求項９】
前記サーバ装置は更に、番組に対して所定の感情と対応した感情記号による投票を受け付ける感情記号投票受付手段を備えたことを特徴とする請求項７に記載のコメント処理システム。
【請求項１０】
コメントの閲覧が可能な番組リストをサーバ装置が端末に送信するステップ、
前記端末から指定された番組についてのコメントリストをサーバ装置が送出するステップ、
サーバが前記端末にコメント入力用画面データを送信し、前記端末から送信されたコメントデータを受信するステップ、
サーバ装置において前記受信したコメントをコメントリストに登録するステップ
を含むことを特徴とするコメント処理方法。
【請求項１１】
更に、番組毎にコメント可能な条件が設定されている番組テーブル手段と、複数のコメンテータの端末が登録されたコメンテータテーブル手段とを参照して、アクセスしてきた前記端末が指定した番組にコメントを書き込むことができるか否かをチェックするステップを含むことを特徴とする請求項１０に記載のコメント処理方法。
【請求項１２】
更に、番組に対して所定の感情と対応した感情記号による投票を受け付けるステップを含むことを特徴とする請求項１０に記載のコメント処理方法。
【発明の詳細な説明】
【技術分野】
【０００１】
本発明は、サーバ装置、コメント処理プログラム、コメント処理システムおよびコメント処理方法に関するものであり、特に、テレビ番組等に対してリアルタイムにコメントや投票を受け付け、その結果を公開することが可能なサーバ装置、コメント処理プログラム、コメント処理システムおよびコメント処理方法に関するものである。
【背景技術】
【０００２】
従来、テレビ等の放送番組とネットワークに接続された端末との連動システムが各種提案されている。例えば、下記の特許文献１には、テレビ視聴中にその番組についてチャットを希望する複数の視聴者間でチャットが可能なチャットシステムが開示されている。
【特許文献１】特開２００４−４０６９８号公報
【発明の開示】
【発明が解決しようとする課題】
【０００３】
上記した従来のチャットシステムにおいては、番組を視聴している非常に多数の視聴者がチャットへの参加を希望した場合には、チャットを行うことが事実上不可能であるという問題点があった。特に、携帯電話機など表示領域の狭い端末においてはなおさらである。また、不特定多数の視聴者が参加した場合には、チャットの内容についても質の低下が懸念されるという問題点があった。更に、従来のチャットシステムでは多くの視聴者の意見を集計することができないという問題点もあった。
【０００４】
本発明の目的は、上記したような問題点を解決し、番組に対する幅広いコメントをリアルタイムに公開し、かつ多くの視聴者の意見を集約することが可能なサーバ装置、コメント処理プログラム、コメント処理システムおよびコメント処理方法を提供することにある。
【課題を解決するための手段】
【０００５】
本発明のサーバ装置は、通信網を介して端末と通信可能なサーバ装置において、前記端末によるコメントの閲覧が可能な番組リストを送信する番組リスト送信手段と、前記端末から指定された番組についてのコメントリストを送出するコメントリスト送出手段と、前記端末にコメント入力用画面データを送信し、前記端末から送信されたコメントデータを受信するコメント取得手段と、前記受信したコメントをコメントリストに登録するコメント登録手段とを備えたことを主要な特徴とする。
【０００６】
前記したサーバ装置は更に、番組毎にコメント可能な条件が設定されている番組テーブル手段と、複数のコメンテータの端末が登録されたコメンテータテーブル手段と、前記番組テーブル手段および前記コメンテータテーブル手段を参照して、アクセスしてきた前記端末が指定した番組にコメントを書き込むことができるか否かをチェックするコメント権限チェック手段とを備えていてもよい。また、、番組に対して所定の感情と対応した感情記号による投票を受け付ける感情記号投票受付手段を備えていてもよい。
【０００７】
本発明のコメント処理プログラムは、通信網を介して端末と通信可能なサーバ装置のコンピュータを、前記端末によるコメントの閲覧が可能な番組リストを送信する番組リスト送信手段、前記端末から指定された番組についてのコメントリストを送出するコメントリスト送出手段、前記端末にコメント入力用画面データを送信し、前記端末から送信されたコメントデータを受信するコメント取得手段、前記受信したコメントをコメントリストに登録するコメント登録手段として機能させることを主要な特徴とする。
【０００８】
前記コメント処理プログラムは更に、前記サーバ装置のコンピュータを、番組毎にコメント可能な条件が設定されている番組テーブル手段、複数のコメンテータの端末が登録されたコメンテータテーブル手段、前記番組テーブル手段および前記コメンテータテーブル手段を参照して、アクセスしてきた前記端末が指定した番組にコメントを書き込むことができるか否かをチェックするコメント権限チェック手段として機能させるプログラムを備えていてもよい。また、前記サーバ装置のコンピュータを、番組に対して所定の感情と対応した感情記号による投票を受け付ける感情記号投票受付手段として機能させるプログラムを備えていてもよい。
【０００９】
本発明のコメント処理システムは、情報処理機能とデータ通信機能を有し、Ｗｅｂを閲覧可能なブラウザ手段を備えた端末、および前記端末によるコメントの閲覧が可能な番組リストを送信する番組リスト送信手段と、前記端末から指定された番組についてのコメントリストを送出するコメントリスト送出手段と、前記端末にコメント入力用画面データを送信し、前記端末から送信されたコメントデータを受信するコメント取得手段と、前記受信したコメントをコメントリストに登録するコメント登録手段とを備えた、通信網を介して前記端末と通信可能なサーバ装置からなることを主要な特徴とする。
【００１０】
前記したコメント処理システムにおいて、前記サーバ装置は更に、番組毎にコメント可能な条件が設定されている番組テーブル手段と、複数のコメンテータの端末が登録されたコメンテータテーブル手段と、前記番組テーブル手段および前記コメンテータテーブル手段を参照して、アクセスしてきた前記端末が指定した番組にコメントを書き込むことができるか否かをチェックするコメント権限チェック手段とを備えていてもよい。また、番組に対して所定の感情と対応した感情記号による投票を受け付ける感情記号投票受付手段を備えていてもよい。
【００１１】
本発明のコメントのコメント処理方法は、閲覧が可能な番組リストをサーバ装置が端末に送信するステップ、前記端末から指定された番組についてのコメントリストをサーバ装置が送出するステップ、サーバが前記端末にコメント入力用画面データを送信し、前記端末から送信されたコメントデータを受信するステップ、サーバ装置において前記受信したコメントをコメントリストに登録するステップを含むことを主要な特徴とする。
【００１２】
前記コメント処理方法は更に、番組毎にコメント可能な条件が設定されている番組テーブル手段と、複数のコメンテータの端末が登録されたコメンテータテーブル手段とを参照して、アクセスしてきた前記端末が指定した番組にコメントを書き込むことができるか否かをチェックするステップを含んでいてもよい。また、番組に対して所定の感情と対応した感情記号による投票を受け付けるステップを含んでいてもよい。
【発明の効果】
【００１３】
本発明は上記したような特徴によって、テレビ番組等に対してリアルタイムにコメントや投票を受け付け、そのコメントや集計結果を公開することができるという効果がある。また、番組毎にコメント権限を管理することによってコメントの量や質を管理することが可能となる。更に、感情記号による投票を受け付けることにより、非常に多くのユーザの意見を集計することができるので、ユーザの番組への参加意識を高める効果もある。
【発明を実施するための最良の形態】
【００１４】
以下、本発明を実施するための最良の形態について、図面を参照して詳細に説明する。本実施の形態では、携帯端末として携帯電話機を使用する例を開示する。但し、本発明はインターネットに接続してＷｅｂ閲覧が可能な任意の携帯端末について適用可能である。
【００１５】
まずシステム全体の構成について説明する。図１は、本発明の実施例のシステム全体を示す概略構成図である。このシステムは、携帯端末の一種である携帯電話１とサーバ２が携帯電話網５およびインターネット４を介して接続可能に構成されている。携帯電話網５は、基地局９、パケット交換処理を司るパケット網６、インターネット４に接続されたゲートウェイサーバ７とを備え、携帯電話１とインターネット４との接続を可能にする。携帯電話１は、たとえば、HTTP（Hyper Text Transfer Protocol）によりＷｅｂ閲覧を可能にするＷｅｂブラウザやメールの送受信を行うメーラを標準装備しており、更にアプリケーションプログラムをダウンロードして記憶可能である。
【００１６】
サーバ２はデータベース（ＤＢ）３を備え、Ｗｅｂサーバ、メールサーバ、アプリケーションサーバ等の機能を有する。サーバ２はインターネット４、携帯電話網５を介して携帯電話１やパソコンなどのその他の端末と通信可能であり、携帯電話１からのアクセスに応じて後述するような処理を行う。データベース３は、サーバ２に接続されたデータベースシステムであり、ダウンロード用アプリ、ユーザ関連データ、コンテンツデータ等の各種データを記憶すると共にサーバ２からの要求に基づきサーバ２に必要なデータを提供する。ＴＶ放送局１０は、公知のテレビ番組の放送機能を有する。テレビ受信機１１は携帯電話１のユーザが所有する公知のテレビ受信機である。
【００１７】
図２は、本実施の形態による携帯電話１の内部構成例を示すブロック図である。携帯電話１は、制御部２０、通信制御部２１、表示部２３、入力部２４、音声／サウンド制御部、時計部２８、記憶部３０を備え、各回路はバス２９によって接続されている。
【００１８】
情報処理機能を実現する制御部２０は、CPU、ROM、RAMなどを備え、ROMや記憶部３０に記憶された各種プログラムに従って携帯電話１全体の制御を行う。アプリケーションプログラムとしては、例えばＷｅｂ閲覧を制御するＷｅｂブラウザ、メールの送受信を制御するメーラープログラム、あるいはダウンロードされたアプリを実行可能である。記憶部３０は、例えば不揮発性のメモリからなり、上記した各種アプリやアプリで使用するデータ、待ち受け画像等の画像データ、着メロデータ、電話帳データなどをを記憶している。
【００１９】
アンテナ２２を備えた通信制御部２１は基地局との間のデータおよび音声通信機能を実行する。例えば液晶表示器を備えた表示部２３は制御部２０の制御によって文字や画像を表示する。入力部２４は、電話番号や文字を入力するためのダイヤルキー、メインメニューを呼び出したり、画面上の選択可能なアイコンに対して上下左右へカーソルを移動してアイコンを選択するためのセレクトキー、ダイヤルキーやセレクトキーで選択した項目を確定する確定キーなどを備える。
【００２０】
音声／サウンド制御部２５は、スピーカ２６およびマイク２７が接続されており、呼出音、着信メロ等のサウンド出力や通話時の音声出力、およびマイク２７からの音声入力を実行する。時計部２８は制御部２０に現在時刻情報を提供する。この他、赤外線通信機能、近距離無線通信機能、外部機器接続機能、（デジタル）テレビあるいは（デジタル）ラジオ受信機能、メモリカードスロット等を備えていてもよい。
【００２１】
図３は、本実施の形態によるサーバ２の内部構成例を示すブロック図である。サーバ２は、制御部４１、記憶部４２、通信制御部４３、データベースインターフェイス部４４、時計部４５等からなり、各回路はバス４６によって接続されている。制御部４１はCPU、ROM、RAMなどを備え、周知のＯＳ（Operating system）、サーバプログラムおよび本発明の機能を実現するプログラムを実行することにより、サーバ全体を制御する。
【００２２】
記憶部４２は例えばハードディスク装置を備え、ＯＳ、公知あるいは本発明による各種プログラム、データ等を記憶している。通信制御部４３は、図示しないルータやファイヤウォールサーバを介してインターネット４に接続され、インターネット４を介して携帯電話１などとの双方向通信を実行する。時計部４５は現在時刻を計時し、制御部４１に提供する。データベースインタフエース部４４はデ−タベース３に接続され、データベース２との間でデータ授受を行う。
【００２３】
以下に、本発明による番組連動処理の機能および動作を説明する。なお、本発明のコメントシステムを実行するサーバ２には、予め、番組テーブルおよびコメンテータテーブルを記憶しておく。図４は、コメント処理可能な番組テーブル例を示す説明図である。番組テーブルには例えば、コメント処理可能な番組の番組識別コード５０、開始時刻５１、終了時刻５２、番組タイトル５３、サーバアドレス５４、ジャンル５５、コメント権限５６等の情報が登録されている。
【００２４】
図５は、コメンテータテーブル例を示す説明図である。コメンテータテーブルには、コメンテータＩＤ６０、ＵＩＤ（網が提供するユーザ固有の識別情報）６１、表示名（ニックネーム）６２、ジャンル６３、コメント可能番組６４、メールアドレス６５等の情報が登録されている。なお、コメンテータとしては、各ジャンルの著名人等に番組に対するコメントの書き込みを依頼した上で登録する。
【００２５】
図６は、本発明の検索処理における携帯電話１およびサーバ２の処理内容を示すフローチャートである。Ｓ１０においては、携帯電話からのアクセスが有るまで待ち、Ｓ１１においては、アクセスが初期ページの要求か否かが判定される。そして、判定結果が否定の場合にはＳ１３に移行するが、肯定の場合にはＳ１２に移行する。Ｓ１２においては、コメント処理サイトの初期ページを送信する。
【００２６】
図７（ａ）は、携帯電話１に表示される初期ページの画面例を示す説明図である。この初期画面において、ユーザは例えば地域７０およびチャンネル７１に文字あるいは数字を入力して「番組リスト」７２のリンクを選択する。携帯電話のブラウザは番組リストページの要求を送信する。
【００２７】
なお、携帯電話網のキャリアから認定された公式サイト（サーバ）であれば、アクセスしてきた携帯電話１のＵＩＤ（ユーザ固有の識別情報）を携帯電話網５から取得可能であるので、ユーザの特定（認証）が可能である。また、ユーザＩＤとパスワードによって認証を行ってもよい。従って、ユーザが予めユーザ登録を行って地域情報を登録しておけば、初期画面において地域を入力する必要はなくなる。
【００２８】
Ｓ１３においては、携帯電話が番組リストを要求しているか否かが判定され、判定結果が否定の場合にはＳ１５に移行するが、肯定の場合にはＳ１４に移行する。Ｓ１４においては、要求された条件に合致するコメント処理が可能な番組のリストを送信する。
【００２９】
図７（ｂ）は、携帯電話１に表示される番組リストページの画面例を示す説明図である。この番組リストには現在から所定期間前までのコメント処理可能な番組が列挙されている。なお、番組がコメント等を受け付ける期間は例えば番組開始から所定の期間とし、コメント等の閲覧はそれより長い所定期間可能としてもよい。ユーザは例えば番組名（「□□□□」）のリンク７３を選択してコメントリストを要求する。
【００３０】
Ｓ１５においては、携帯電話がコメントリストを要求しているか否かが判定され、判定結果が否定の場合にはＳ１７に移行するが、肯定の場合にはＳ１６に移行する。Ｓ１６においては、指定された番組に関するコメントリストを送信する。
【００３１】
図７（ｃ）は、携帯電話１に表示されるコメントリストページの画面例を示す説明図である。このコメントリストには番組情報と共にコメントが列挙されている。各コメントには、コメントを書いた日付、時間、コメントする人が任意に付けたニックネーム、コメント（「おもしろい。」など）と共に、感情記号（「↑」、「→」など）が含まれている。
【００３２】
この感情記号は、予め特定の感情と対応付けられており、コメンテータ等のコメント可能な人はコメントと共に、またコメントできない一般ユーザの場合には感情記号のみが入力（投票）される。この画面において、ユーザは例えば「集計」７４あるいは「入力」７５のリンクを選択する。
【００３３】
Ｓ１７においては、携帯電話が集計結果を要求しているか否かが判定され、判定結果が否定の場合にはＳ１９に移行するが、肯定の場合にはＳ１８に移行する。Ｓ１８においては、携帯電話へ投票集計結果ページを送信する。図７（ｅ）は、携帯電話１に表示される投票集計結果ページの画面例を示す説明図である。画面には、番組情報と共に各感情記号の得票割合および感情記号の意味等が表示されている。
【００３４】
Ｓ１９においては、携帯電話が入力を要求しているか否かが判定され、判定結果が否定の場合にはＳ２３に移行するが、肯定の場合にはＳ２０に移行する。Ｓ２０においては、携帯電話のユーザにコメントする権限が有るか否かが判定され、判定結果が否定の場合にはＳ２２に移行するが、肯定の場合にはＳ２１に移行する。
【００３５】
コメント権限の判定は以下のように行う。まず、番組テーブルから該当する番組の「コメント権限」を取得し、権限が「不要」であれば権限有りとする。（コメンテータ）「全員」である場合には、コメンテータテーブルを参照して、ユーザがコメンテータか否かにより権限の有無を判定する。「ジャンル」である場合には、ユーザがコメンテータであり、かつ、番組のジャンルとコメンテータのジャンルが一致した場合にのみ権限有りとする。「リスト」である場合には、コメンテータテーブルの「コメント可能番組」に該当する番組の番組識別コードが登録されている場合にのみ権限ありとする。以上のような権限の判定を行うことにより、コメントの量や質を調整することができる。
【００３６】
Ｓ２１においては、コメント権限のあるユーザの携帯電話にコメント記入および投票が可能なページを送信する。図７（ｄ）は、携帯電話１に表示されるコメント記入および投票が可能なページの画面例を示す説明図である。この画面には、番組情報と共に、ニックネーム記入欄７６、コメント記入欄７７、感情記号投票用ボタン７８が表示されている。なお、登録されているコメンテータがコメントする場合にはニックネーム欄に入力する必要はない。
【００３７】
Ｓ２２においては、コメント権限のないユーザの携帯電話に投票のみが可能なページを送信する。この場合の画面は、例えば図７（ｄ）画面からニックネーム記入欄、コメント記入欄を削除したものでよい。
【００３８】
Ｓ２３においては、携帯電話がコメントあるいは投票を送信してきたか否かが判定され、判定結果が否定の場合にはＳ１０に戻るが、肯定の場合にはＳ２４に移行する。Ｓ２４においては、コメントおよび投票を登録する。即ち、コメントは該当する番組のコメントリストデータに追加登録され、また投票のデータについては該当する番組の該当する感情記号の投票数データに１を加算する。以上のような構成および動作によって、例えばテレビ番組と連動してリアルタイムにコメントの書き込み、閲覧、投票等が可能となる。
【００３９】
以上実施例を説明したが、本発明には以下のような変形例も考えられる。携帯電話において表示される番組リストにおいて、番組毎にアクセスしてきたユーザがコメントを書き込むことが可能か否かを表示するようにしてもよい。番組に対するコメントおよび投票ではなく、コメントに対するコメントあるいは感情記号の投票ができるようにしてもよい。この場合には、番組を最上位とするコメントの階層構造でコメントを管理するようにしてもよい。番組において必要に応じてコメントや感情記号の集計結果を参照、紹介することも可能である。
【産業上の利用可能性】
【００４０】
本発明は、携帯電話機等の携帯端末、サーバ装置、携帯電話網、インターネット等を含むデータ通信システム、情報処理システムの産業分野で利用可能である。
【図面の簡単な説明】
【００４１】
【図１】本発明の実施例のシステム全体を示す概略構成図である。
【図２】本実施の形態による携帯電話の内部構成例を示すブロック図である。
【図３】本実施の形態によるサーバの内部構成例を示すブロック図である。
【図４】コメント処理可能な番組テーブル例を示す説明図である。
【図５】コメンテータテーブル例を示す説明図である。
【図６】本発明の検索処理における処理内容を示すフローチャートである。
【図７】携帯電話に表示される画面例を示す説明図である。
【符号の説明】
【００４２】
１…携帯電話（携帯端末）
２…サーバ
３…データベース
４…インターネット
５…携帯電話網
６…パケット網
７…ゲートウェイサーバ
９…基地局
１０…テレビ放送局
１１…テレビ受信機
【図１】
2005332198.tif 000003
【図２】
2005332198.tif 000004
【図３】
2005332198.tif 000005
【図４】
2005332198.tif 000006
【図５】
2005332198.tif 000007
【図６】
2005332198.tif 000008
【図７】
2005332198.tif 000009